(57)【要約】【課題】異なる方向に検知電線の取出しができるバスバーを提供する。【解決手段】本明細書によって開示されるバスバーは、隣り合う蓄電素子６１の電極端子６３を接続するバスバー４０であって、バスバー４０の端部には、検知電線２０の端部が接続される電線接続部４２が設けられており、電線接続部４２は、検知電線２０の芯線２１が接続される芯線接続部４３を含み、芯線接続部４３は、検知電線２０を一方向Ｙ１に取出すための第１芯線接続部４３Ａと、検知電線２０を一方向とは異なる方向Ｙ２に取出すための第２芯線接続部４３Ｂとを備えている構成とした。【選択図】図３
2018133341.tif 000002
【特許請求の範囲】
【請求項１】
正極および負極の一対の電極端子を有する複数の蓄電素子の隣り合う前記蓄電素子の前記電極端子を接続するバスバーであって、
前記バスバーの端部には、検知電線の端部が接続される電線接続部が設けられており、
前記電線接続部は、前記検知電線の芯線が接続される芯線接続部を含み、
前記芯線接続部は、
前記検知電線を一方向に取出すための第１芯線接続部と、
前記検知電線を前記一方向とは異なる方向に取出すための第２芯線接続部とを備えているバスバー。
【請求項２】
前記電線接続部は、前記検知電線の絶縁被覆に圧着される圧着部を有し、
前記圧着部は、前記第１芯線接続部と第２芯線接続部との間に設けられている請求項１に記載のバスバー。
【請求項３】
前記電線接続部は、
前記第１芯線接続部と、前記検知電線を前記一方向に取り出す際に前記検知電線の絶縁被覆に圧着される第１圧着部と、を含む第１電線接続部と、
前記第２芯線接続部と、前記検知電線を前記一方向とは異なる方向に取り出す際に前記検知電線の絶縁被覆に圧着される第２圧着部と、含む第２電線接続部と、によって構成される請求項１に記載のバスバー。
【請求項４】
前記第１圧着部および前記第２圧着部は、平面視において前記バスバーの外側に突出した状態で設けられている請求項３に記載のバスバー。
【請求項５】
前記第１芯線接続部および第２芯線接続部は、前記一方向と前記一方向とは異なる方向とが反対方向を成すように、前記電線接続部に設けられている請求項１から請求項４のいずれか一項に記載のバスバー。
【発明の詳細な説明】
【技術分野】
【０００１】
本明細書に開示される技術は、バスバーに関する。
【背景技術】
【０００２】
従来、複数の蓄電素子に装着される配線モジュールとして、例えば、特許文献１に記載のものが知られている。特許文献１には、隣り合う単電池（蓄電素子）の電極端子を接続するバスバーの、平面視で中央部に設けられたワイヤバレル部（芯線接続部）と、検知電線を保持するインシュレーションバレル部（圧着部）とからなる電線接続部によって、検知電線をバスバーに接続する技術が開示されている。この従来技術においては、単電池のレイアウトに応じてバスバーが、蓄電素子のレイアウトに応じて二列に配列される場合であっても、ワイヤバレル部とインシュレーションバレル部とからなる同一の電線接続部によって、検知電線をバスバーに接続することができる。
【先行技術文献】
【特許文献】
【０００３】
【特許文献１】特開２０１３−１４３１８１号公報
【発明の概要】
【発明が解決しようとする課題】
【０００４】
バスバーに対して検知電線の取出しは、蓄電素子のレイアウト等を考慮すると、複数の方向に取出せることが望ましい。しかしながら、従来技術のようなインシュレーションバレル部を含む電線接続部が、蓄電素子の並び方向におけるバスバーの端部に形成される場合、検知電線のバスバーからの取出し方向は一方向に決定されてしまう。そのため、異なる方向に検知電線を取出したい場合、形状の異なるバスバーを設ける必要がある。この場合、配線モジュールの部品点数が増加することとなる。そのため、電線接続部が形成されるバスバーの端部にかかわりなく、異なる方向にバスバーから検知電線を取出す際に、同一のバスバーから検知電線の取出しができる電線接続部の構造が所望されていた。
【０００５】
本明細書に開示される技術は、上記のような事情に基づいて完成されたものであって、異なる方向に検知電線の取出しができるバスバーを提供する。
【課題を解決するための手段】
【０００６】
本明細書に開示される配線モジュールは、正極および負極の一対の電極端子を有する複数の蓄電素子に取り付けられる配線モジュールであって、隣り合う蓄電素子の前記電極端子を接続するバスバーと、前記バスバーを保持するバスバー保持部を含む絶縁プロテクタと、芯線と前記芯線を覆う絶縁被覆とを有し、前記絶縁プロテクタに配されて前記蓄電素子の状態を検知する検知電線と、前記バスバーの端部に形成され、前記検知電線の端部が接続される電線接続部と、を備え、前記電線接続部は、前記検知電線の前記芯線が接続される芯線接続部を含み、前記芯線接続部は、前記検知電線を一方向に取り出すための第１芯線接続部と、前記検知電線を前記一方向とは異なる方向に取り出すための第２芯線接続部とを含む。
【０００７】
本構成によれば、バスバーに形成された電線接続部の芯線接続部は、検知電線を一方向に取り出すための第１芯線接続部と、検知電線を一方向とは異なる方向に取り出すための第２芯線接続部との二か所の芯線接続部を含む。第１芯線接続部および第２芯線接続部によって、電線接続部が形成されるバスバーの端部にかかわりなく、一種類のバスバーによって異なる方向に検知電線の取出しができる。それによって、バスバーに対して検知電線を、蓄電素子のレイアウト等を考慮して、複数の方向に取出す際に、形状の異なるバスバーを設ける必要がない。
【０００８】
上記配線モジュールにおいて、前記電線接続部は、前記検知電線の前記絶縁被覆に圧着される圧着部を有し、前記圧着部は、前記第１芯線接続部と第２芯線接続部との間に設けられているようにしてもよい。
本構成によれば、電線接続部の一か所に圧着部を設ける構成において、検知電線をバスバーから異なる方向に取出せる。すなわち、簡素な電線接続部の構造において、検知電線をバスバーから異なる方向に取出せる。
【０００９】
また、上記配線モジュールにおいて、前記第１芯線接続部と、前記検知電線を前記一方向に取り出す際に前記検知電線の前記絶縁被覆に圧着される第１圧着部と、を含む第１電線接続部と、前記第２芯線接続部と、前記検知電線を前記一方向とは異なる方向に取り出す際に前記検知電線の前記絶縁被覆に圧着される第２圧着部と、含む第２電線接続部と、によって構成されるようにしてもよい。
本構成によれば、バスバーから検知電線を取出す方向に応じて、バスバーに個別の電線接続部（第１および第２電線接続部）が設けられている。そのため、この構成においても、一種類のバスバーによって異なる方向に検知電線の取出しができる。
この場合、前記第１圧着部および前記第２圧着部は、平面視において前記バスバーの外側に突出した状態で設けることが好ましい。
本構成によれば、第１圧着部または第２圧着部を検知電線の絶縁被覆に圧着させる作業が容易となる。
【００１０】
また、上記配線モジュールにおいて、前記第１芯線接続部および第２芯線接続部は、前記一方向と前記一方向とは異なる方向とが反対方向を成すように、前記電線接続部に設けられているように構成してもよい。
本構成によれば、蓄電素子のレイアウトに対応してバスバーが二列に配置される配線モジュールにおいて、検知電線をバスバーに接続して配線する際に、一種類のバスバーによって適切に対応できる。
【発明の効果】
【００１１】
本明細書に開示されるバスバーによれば、異なる方向に検知電線の取出しができる。
【図面の簡単な説明】
【００１２】
【図１】実施形態１の配線モジュールが蓄電素子群に取付けられた状態を示す概略的な平面図
【図２】蓄電素子群の側面図
【図３】（ａ）は、実施形態１におけるバスバーからの検知電線の引出し態様を示す側面図、（ｂ）は、その平面図
【図４】（ａ）は、実施形態１におけるバスバーからの検知電線の別の引出し態様を示す側面図、（ｂ）は、その平面図
【図５】実施形態２の配線モジュールが蓄電素子群に取付けられた状態を示す概略的な平面図
【図６】（ａ）は、実施形態２におけるバスバーからの検知電線の引出し態様を示す側面図、（ｂ）は、その平面図
【図７】（ａ）は、実施形態２におけるバスバーからの検知電線の別の引出し態様を示す側面図、（ｂ）は、その平面図
【図８】（ａ）は、実施形態１におけるバスバーからの検知電線の別の引出し態様を示す側面図、（ｂ）は、その平面図
【図９】（ａ）は、実施形態２におけるバスバーからの検知電線の別の引出し態様を示す側面図、（ｂ）は、その平面図
【発明を実施するための形態】
【００１３】
＜実施形態１＞
実施形態１を図１〜図４を参照しつつ説明する。なお、図１に示される蓄電モジュール１００は、例えば、電気自動車またはハイブリッド自動車等の車両（図示せず）に搭載されて、車両を駆動するための動力源として使用される。
【００１４】
なお、以下の説明においては、図１の左側を左、右側を右として説明する。また、複数の同一部材については、一の部材に符号を付し、他の部材については符号を省略することがある。
【００１５】
１．蓄電モジュール
本実施形態の蓄電モジュール１００は、図１および図２に示すように、大きくは、複数の蓄電素子６１を並べて構成された蓄電素子群６０（図２参照）と、蓄電素子群６０上に取り付けられた配線モジュール１０とによって構成される。
【００１６】
蓄電素子６１は、例えば、二次電池である。図２に示すように、複数（本実施形態では９個）の蓄電素子６１が一列に並べられて蓄電素子群６０を構成している。
【００１７】
各蓄電素子６１は、外形が扁平な直方体状をなしており、図２に示すように、隣接する蓄電素子６１と対向する面に対して垂直な電極配置面６２を有している。電極配置面６２には、長手方向の両端部寄りの位置に、一対の電極端子６３が配置されている。電極端子６３のうち一方は正極端子６３Ａであり、他方は負極端子６３Ｂである。各電極端子６３は金属製であり、電極配置面６２から角筒状に突出している。本実施形態では、正極端子６３Ａはアルミ製であり、負極端子６３Ｂは銅製である。なお、これに限られない。例えば、正極端子６３Ａおよび負極端子６３Ｂは、共に銅製であってもよい。
【００１８】
各蓄電素子６１の電極配置面６２において、一対の電極端子６３の間の中央部には、配線モジュール１０に設けられた絶縁プロテクタ１１の位置決め部５１が嵌合する嵌合部６６が設けられている。また、各蓄電素子６１の電極配置面６２において、その両端部には、絶縁プロテクタ１１の突起部５２が嵌合する嵌合部６７が設けられている。
【００１９】
複数の蓄電素子６１は、隣り合う２つの蓄電素子６１において、異なる極性の電極端子６３が互いに隣り合うように（つまり、１つの蓄電素子６１の正極端子６３Ａと、これと隣接する他の蓄電素子６１の負極端子６３Ｂとが互いに隣り合うように）並べられている。
【００２０】
２．配線モジュールの構成
配線モジュール１０は、蓄電素子群６０において、各蓄電素子６１の電極配置面６２によって構成される面に組み付けられる部材である。配線モジュール１０は、図１に示されるように、例えば、２個の絶縁プロテクタ１１、各絶縁プロテクタ１１に保持され、隣り合う蓄電素子６１の正極端子６３Ａと負極端子６３Ｂとを接続するバスバー４０、バスバー４０に形成された電線接続部４２、および電線接続部４２に接続される検知電線２０等を備える。
【００２１】
検知電線２０は、図３（ａ）に示されるように、芯線２１と芯線２１を覆う絶縁被覆２２とを有し、絶縁プロテクタ１１に配されて蓄電素子６１の状態、本実施形態では蓄電素子６１の電圧を検知する。検知電線２０の一端２０Ｅは電線接続部４２に接続され、他端はコネクタ２５に接続される（図１参照）。コネクタ２５は、検知情報を処理する外部の制御部(図示せず)等に接続される。
【００２２】
バスバー４０は、図３（ｂ）に示すように、四隅が扁平な長方形状に切り欠かれた全体として略長方形の板状の部材である。詳細には、バスバー４０は、例えば、アルミニウム薄板４１Ａおよび銅薄板４１Ｂの二種類の金属板を貼り合せて形成されたクラッド材（金属板）を打ち抜き加工することによって形成されている。すなわち、バスバー４０は、アルミ製の正極端子６３Ａに対応したアルミニウム薄板４１Ａ、銅製の負極端子６３Ｂに対応した銅薄板４１Ｂ、および貼り合せ部４１Ｃを含む。なお、これに限られず、バスバー４０の材質としては、例えば銅合金、アルミニウム合金、ステンレス鋼（ＳＵＳ）等が挙げられる。また、クラッド材にも限られず、一種類の金属板で構成されてもよい。
【００２３】
また、バスバー４０には、図３および図４に示すように、電線接続部４２がバスバー４０の一部として形成されている。本実施形態では、電線接続部４２は、バスバー４０を構成する銅薄板４１Ｂを打ち抜き加工および折り曲げ加工することによって形成されている。また、電線接続部４２は、図３（ｂ）に示されるように、複数の蓄電素子６１の並び方向（図２等に示されるＸ方向）におけるバスバー４０の端部４１Ｅに形成されている。なお、蓄電素子６１のレイアウトによっては、バスバー４０のアルミニウム薄板４１Ａと銅薄板４１Ｂとの位置間関係が、図３（ｂ）とは左右が逆となってもよい。この場合、電線接続部４２はアルミニウム薄板４１Ａによって形成される。また、電線接続部４２が形成されるバスバー４０の端部は、必ずしも複数の蓄電素子６１の並び方向における端部４１、すなわち、短辺側端部に限られない。電線接続部４２は、例えば、複数の蓄電素子６１の並び方向と垂直方向におけるバスバー４０の端部、すなわち、バスバー４０の長辺側端部に形成されてもよい。
【００２４】
電線接続部４２には、検知電線２０の端部２０Ｅが接続される。詳細には、図３（ａ）に示されるように、電線接続部４２は、検知電線２０の芯線２１が接続される芯線接続部４３を含む。また、芯線接続部４３は、検知電線２０を一方向、例えば、図３（ａ）の矢印Ｙ１方向に取出すための第１芯線接続部４３Ａと、検知電線を一方向とは異なる方向、例えば、図４（ａ）の矢印Ｙ２方向に取出すための第２芯線接続部４３Ｂとを含む。すなわち、本実施形態では、図３および図４に示されるように、検知電線２０がバスバー４０から取出される方向である一方向（矢印Ｙ１方向）と、一方向とは異なる方向（矢印Ｙ２方向）とは、反対方向であり、１８０度の角度を成している。
【００２５】
また、電線接続部４２は、検知電線２０の絶縁被覆２２に圧着される圧着部（インシュレーションバレル部）４４を有する。詳しくは、圧着部４４は対向する一対の圧着片４４Ｐによって構成されている。圧着部４４は、図３（ａ）および図４（ａ）に示されるように、第１芯線接続部４３Ａと第２芯線接続部４３Ｂとの間に設けられている。言い換えれば、第１芯線接続部４３Ａおよび第２芯線接続部４３Ｂは、圧着部４４を挟んで設けられている。なお、バスバー４０には、圧着部４４を検知電線２０の絶縁被覆２２に圧着させる作業を行うために貫通孔４５が設けられている。
【００２６】
図３は、図１において左右方向に上下段の二列に配列されたバスバー４０列うち、下段に配列された各バスバー４０に検知電線２０が接続される際の接続態様を示す。一方、図４は、上段に配列された各バスバー４０に検知電線２０が接続される際の接続態様を示す。
【００２７】
また、本実施形態では、２個の絶縁プロテクタ１１が複数の蓄電素子６１の並び方向に沿って並べられている。絶縁プロテクタ１１は、合成樹脂等の絶縁部材によって構成されている。各絶縁プロテクタ１１は、図１に示すように、上下方向（図１において紙面と垂直方向）に開口するとともにバスバー４０を収容し保持する一対のバスバー保持部１２等を備えている。
【００２８】
また、絶縁プロテクタ１１には、蓄電素子６１の嵌合部６６に嵌合する位置決め部５１、および蓄電素子６１の嵌合部６７に嵌合する突起部５２が設けられている。
【００２９】
バスバー保持部１２は、バスバー４０をその内側に保持して隣り合うバスバー４０と絶縁状態に保持する角筒状の収容壁１３を有しており、この収容壁１３は、隣接する電極端子６３の保護壁としても機能する。
【００３０】
３．蓄電モジュールの組立方法
上述した本実施形態の配線モジュール１０を組み立てる際には、まず、２つの絶縁プロテクタ１１を連結する。次に、バスバー４０を各絶縁プロテクタ１１のバスバー保持部１２内に収容する。バスバー保持部１２内に収容されたバスバー４０は、その裏面（下面）のうち、溶接部分は、下方側に向けて露出した状態とされている。
【００３１】
次に、電線接続部４２の圧着部４４を、バスバー４０に設けられた貫通孔４５を利用して、検知電線２０の絶縁被覆２２に圧着させて、検知電線２０を電線接続部４２に固定する。検知電線２０が電線接続部４２に固定された状態で、検知電線２０の芯線２１を第１芯線接続部４３Ａ、あるいは第２芯線接続部４３Ｂに接続する。この接続は、ハンダ付け、超音波溶接、あるいは抵抗溶接等によって行われる。次に電線接続部４２に接続された検知電線２０を、絶縁プロテクタ１１内の所定の位置に配置する。
【００３２】
このようにして組み立てられた配線モジュール１０は、絶縁プロテクタ１１の突起部５２、蓄電素子６１の嵌合部６７等を利用して、蓄電素子群６０の電極配置面６２に対して、取り付けられる。このとき、電極端子６３の先端部（上面）が、下方に向けて露出しているバスバー４０の下面に当接する。この状態で、配線モジュール１０の上方に配された図示しないレーザ照射装置によりレーザをバスバー４０の所定位置に照射し、バスバー４０と電極端子６３とをレーザ溶接により溶接する。このようにして、図１に示されるような蓄電モジュール１００が完成する。
【００３３】
４．実施形態１の効果
バスバー４０に形成された電線接続部４２の芯線接続部４３は、検知電線２０を一方向（矢印Ｙ１方向）に取り出すための第１芯線接続部４３Ａと、検知電線２０を一方向とは異なる方向（矢印Ｙ２方向）に取り出すための第２芯線接続部４３Ｂとの二か所の芯線接続部４３Ａ，４３Ｂを含む。そのため、第１芯線接続部４３Ａおよび第２芯線接続部４３Ｂによって、電線接続部４２がバスバー４０の端部４１Ｅ（短辺側端部）に形成される場合であっても、すなわち、電線接続部４２が形成されるバスバー４０の端部にかかわりなく、一種類のバスバー４０によって異なる方向に検知電線２０の取出しができる。それによって、バスバー４０に対して検知電線２０を、蓄電素子のレイアウト等を考慮して、複数の方向に取出す際に、形状の異なるバスバー４０を設ける必要がない。すなわち、図２に示されるレイアウトの蓄電素子群６０の電極端子を接続する際に、一種類のバスバー４０が作成されればよい。
【００３４】
また、芯線接続部４３Ａ，４３Ｂの間において、電線接続部４２の一か所に圧着部４４を設ける構成において、検知電線２０をバスバー４０から異なる方向に取出せる。すなわち、簡素な電線接続部４２の構造において、検知電線２０をバスバー４０から異なる方向に取出せる。また、この場合、芯線２１が接続されない他方の芯線接続部には、検知電線２０を保持する保持部の機能を持たせることができる。
【００３５】
また、第１芯線接続部４３Ａおよび第２芯線接続部４３Ｂは、一方向（矢印Ｙ１方向）と一方向とは異なる方向（矢印Ｙ２方向）とが反対方向を成すように、電線接続部４２に設けられている。すなわち、検知電線２０がバスバー４０から取出される方向である一方向（矢印Ｙ１方向）と、一方向とは異なる方向（矢印Ｙ２方向）とは、１８０度の角度を成している。言い換えれば、実施形態１における電線接続部４２においては、第１芯線接続部４３Ａおよび第２芯線接続部４３Ｂが、圧着部４４を挟んで、図３および図４において、上下に配置されている。そのため、蓄電素子６１のレイアウトに対応してバスバー４０が、図１における上下段の二列に配置される配線モジュール１０において、検知電線２０をバスバー４０に接続して配線する際に、一種類のバスバー４０、言い換えれば、一種類の電線接続部４２によって適切に対応できる。
【００３６】
＜実施形態２＞
次に、実施形態２を図５〜図７を参照しつつ説明する。なお、実施形態１とは電線接続部４２の構成のみが異なる。そのため、その相違点についてのみ説明し、実施形態１と同一の構成には同一の符号を付し、その説明を省略する。また、関連する実施形態１における変形例についてもその説明を省略する。
【００３７】
図５は、図１と同様に、配線モジュール１０が蓄電素子群６０に取付けられた状態を示す。また、図６は、図５において左右方向に上下段の二列に配列されたバスバー４０列うち、下段に配列された各バスバー４０に検知電線２０が接続される際の接続態様を示す。一方、図７は、上段に配列された各バスバー４０に検知電線２０が接続される際の接続態様を示す。
【００３８】
実施形態２における電線接続部４２は、図６および図７に示されるように、第１電線接続部４２Ａと、第２電線接続部４２Ｂと、によって構成される。
【００３９】
第１および第２電線接続部４２Ａ，４２Ｂは、実施形態１の電線接続部４２と同様に、バスバー４０を構成する銅薄板４１Ｂを打ち抜き加工および折り曲げ加工することによって形成されている。また、第１および第２電線接続部４２Ａ，４２Ｂは、図６（ｂ）に示されるように、複数の蓄電素子６１の並び方向（図２等に示されるＸ方向）におけるバスバー４０の端部４１Ｅに形成されている。
【００４０】
第１電線接続部４２Ａは、第１芯線接続部４３Ａと、検知電線２０を一方向（図６（ａ）の矢印Ｙ１方向）に取り出す際に検知電線２０の絶縁被覆２２に圧着される第１圧着部４４Ａと、を含む。詳しくは、圧着部４４Ａは対向する一対の圧着片４４Ｐによって構成されている。
【００４１】
一方、第２電線接続部４２Ｂは、第２芯線接続部４３Ｂと、検知電線２０を一方向とは異なる方向（図７（ａ）の矢印Ｙ２方向）に取り出す際に検知電線２０の絶縁被覆２２に圧着される第２圧着部４４Ｂと、を含む。詳しくは、圧着部４４Ｂは対向する一対の圧着片４４Ｐによって構成されている。
【００４２】
また、図６（ｂ）および図７（ｂ）に示されるように、第１圧着部４４Ａおよび第２圧着部４４Ｂは、平面視においてバスバー４０の外側に突出した状態で設けられている。
【００４３】
５．実施形態２の効果
バスバー４０から検知電線２０を取出す方向に応じて、バスバー４０に個別の電線接続部４２Ａ，４２Ｂが設けられている。すなわち、図６（ａ）の矢印Ｙ１方向に検知電線２０を取出すために第１電線接続部４２Ａが設けられており、図７（ａ）の矢印Ｙ２方向に検知電線２０を取出すため第２電線接続部４２Ｂが設けられている。そのため、この形態であっても、第１電線接続部４２Ａおよび第２電線接続部４２Ｂを用いて、一種類のバスバー４０によって異なる方向に検知電線２０の取出しができる。
【００４４】
また、第１圧着部４４Ａおよび第２圧着部４４Ｂは、平面視においてバスバー４０の外側に突出した状態で設けられている。そのため、第１圧着部４４Ａまたは第２圧着部４４Ｂを検知電線２０の絶縁被覆２２に圧着させる作業が容易となる。
【００４５】
＜他の実施形態＞
本明細書に開示される技術は上記記述及び図面によって説明した実施形態に限定されるものではなく、例えば次のような実施形態も技術的範囲に含まれる。
【００４６】
（１）上記各実施形態では、第１芯線接続部４３Ａと第２芯線接続部４３Ｂとは、一方向（矢印Ｙ１方向）と一方向とは異なる方向（矢印Ｙ２方向）とが反対方向、すなわち、１８０度の角度を成すように、電線接続部４２に設けられている例を示したが、これに限られない。例えば、一方向（矢印Ｙ１方向）と一方向とは異なる方向（矢印Ｙ２方向）とが、１４５度の角度を成すように、第１芯線接続部４３Ａと第２芯線接続部４３Ｂとが設けられるようにしてもよい。
【００４７】
（２）上記実施形態２では、第１圧着部４４Ａおよび第２圧着部４４Ｂは、平面視においてバスバー４０の外側に突出した状態で設けられている例を示したが、これに限られない。第１圧着部４４Ａおよび第２圧着部４４Ｂは、平面視においてバスバー４０の外側に突出しない状態で設けられてもよい。
【００４８】
（３）上記各実施形態では、バスバー４０と蓄電素子６１の電極端子６３とをレーザ溶接する例を示したが、ボルトおよびナットの締結により接続する構成の配線モジュールにも本明細書に開示される技術を適用することができる。すなわち、バスバーの電極端子６３に接続されて箇所の形状および構成は、図３等に示される形状および構成に限られない。例えば、電極端子６３を通すための貫通孔がバスバーに設けられていてもよい。
【００４９】
（４）上記実施形態１では、圧着部４４は、図３および図４に示されるように、対向する一対の圧着片４４Ｐによって構成されている例を示したがこれに限られない。図８に示されるように、圧着部４４は一個の圧着片４４Ｐによって構成されるようにしてもよい。この場合、貫通孔４５Ａは、バスバー４０を構成する銅薄板４１Ｂから圧着片４４Ｐを打ち抜き加工した跡として形成されるようにしてもよい。
同様に、実施形態２においても、図９に示されるように、圧着部４４Ａ、４４Ｂは、一個の圧着片４４Ｐによって構成されるようにしてもよい。
【符号の説明】
【００５０】
１０…配線モジュール
１１…絶縁プロテクタ
１２…バスバー保持部
２０…検知電線
２１…芯線
２２…絶縁被覆
４０…バスバー
４２…電線接続部
４２Ａ…第１電線接続部
４２Ｂ…第２電線接続部
４３…芯線接続部
４３Ａ…第１芯線接続部
４３Ｂ…第２芯線接続部
４４…圧着部
４４Ａ…第１圧着部
４４Ｂ…第２圧着部
【図１】
2018133341.tif 000003
【図２】
2018133341.tif 000004
【図３】
2018133341.tif 000005
【図４】
2018133341.tif 000006
【図５】
2018133341.tif 000007
【図６】
2018133341.tif 000008
【図７】
2018133341.tif 000009
【図８】
2018133341.tif 000010
【図９】
2018133341.tif 000011